(57)【要約】  【課題】撮影スタイルや撮像装置への光学アクセサリーやバッテリーの取付けの有無、取り付けた光学アクセサリーやバッテリーの種類や大きさに拘わらず、それらによって表示面に表示される撮像画像が遮られることのない撮像装置を提供すること。  【解決手段】  この撮像装置は、撮像部１０２を内部に備えた撮像装置本体１と、撮像装置本体１に対して回転可能に設けられて撮像部１０２による撮像画像５を表示する表示面６ｓを備えた表示部６と、表示面６ｓの回転角度を検出する角度検出部１０８と、角度検出結果に基づいて表示面６ｓに撮像画像５を縮小表示する際の縮小倍率及び該撮像画像の前記表示面内での表示位置を自動的に演算する表示信号処理部１０９とを有する。【選択図】  図１
2005175658.tif 000002
【特許請求の範囲】
【請求項１】
撮像部を内部に備えた撮像装置本体と、
該撮像装置本体に対して回転可能に設けられて前記撮像部による撮像画像を表示する表示面を備えた表示部とを有する撮像装置において、
撮影者の要求に応じて前記表示面に表示された撮像画像を縮小表示するための画像縮小部と、
前記撮影者の要求に応じて前記表示面における前記縮小画像の表示位置を選択する表示位置選択部とを有することを特徴とする撮像装置。
【請求項２】
撮像部を内部に備えた撮像装置本体と、
該撮像装置本体に対して回転可能に設けられて前記撮像部による撮像画像を表示する表示面を備えた表示部と、
前記表示面の回転角度を検出する角度検出部と、
前記角度検出結果に基づいて前記表示面に撮像画像を縮小表示する際の縮小倍率及び該撮像画像の前記表示面内での表示位置を自動的に演算する演算部とを有することを特徴とする撮像装置。
【請求項３】
前記撮像部が、その被写体側に部品を取り付け可能なレンズ部を有し、
前記表示面を前記被写体側に向けた場合に前記レンズに取り付けられた前記部品によって前記撮像画像が遮られないように、前記縮小倍率及び前記表示位置を前記演算部が自動的に演算することを特徴とする請求項２に記載の撮像装置。
【請求項４】
前記部品の種類を検出する部品検出部と、
撮像装置本体から前記被写体までの距離を測定する測距部とを有し、
前記演算部が、前記部品検出結果と前記測距結果とに基づいて前記縮小倍率及び前記表示位置を自動的に演算することを特徴とする請求項３に記載の撮像装置。
【請求項５】
前記撮像本体に対して着脱可能な電源部を前記表示部の下方に有し、
前記表示面が所定角度を超えて下方に向いた場合に前記電源部によって前記撮像画像が遮られないように、前記縮小倍率及び前記表示位置を前記演算部が自動的に演算することを特徴とする請求項２に記載の撮像装置。
【請求項６】
前記電源部の種類を検出する電源検出部を有し、
前記演算部が、前記電源検出結果に基づいて前記縮小倍率及び前記表示位置を自動的に演算することを特徴とする請求項５に記載の撮像装置。
【請求項７】
撮像部を有する撮像装置本体に対して回転可能に設けられた表示面に前記撮像部による撮像画像を表示する画像表示方法であって、
前記表示面の回転角度を検出するステップと、
該角度検出結果に基づいて、前記表示面に撮像画像を縮小表示する際の縮小倍率及び該撮像画像の前記表示面内での表示位置を自動的に演算するステップとを有することを特徴とする画像表示方法。
【発明の詳細な説明】
【技術分野】
【０００１】
本発明は、撮像装置及びその表示部への画像表示方法に係り、特に表示面内での撮像画像の画像縮小や表示位置の変更が可能な撮像装置に関する。本発明は、撮像装置本体に対して回転可能な表示部を備えたハンディタイプのビデオカメラ、ＤＶＤカメラ等のテープ、ディスク等を媒体とする動画又は静止画用カメラに好適である。
【背景技術】
【０００２】
従来の携帯可能な撮像装置の本体は、図１３における５１，もしくは図１５における６１のように大きく分けて２種類の形態が一般的である。これらは、主にバッテリー５２，６２の位置と、図中撮影者の手５８，６８に示されるように撮像装置本体の保持の仕方の点で異なる。例えば、図１３に示すような撮像装置本体５１を有するタイプをヨコ型、図１５に示すような撮像装置本体６１を有するタイプをタテ型と呼ぶ場合がある。なお、本発明においては、「撮像」という用語と「撮影」という用語とは同義に使用している。
【０００３】
ここで図１３において、５３は被写体撮影用の撮像レンズ、５４は撮影映像表示部（表示部）、５５は表示部の表示面、５６は被写体の焦点距離を合わせたり所望の被写体を撮影範囲内にとらえるためのビューファインダー（光学式のＯＶＦもしくは電子式のＥＶＦ）となっている。同様に図１５において、６３は被写体撮影用の撮像レンズ、６４は表示部、６５は表示面、６６は被写体の焦点距離を合わせたり所望の被写体を撮影範囲内にとらえるためのビューファインダー（光学式のＯＶＦもしくは電子式のＥＶＦ）となっている。
【０００４】
特に上記の表示部５４（６４）は撮像装置本体５１（６１）の側面に対し、開閉かつ回転自在に設けられているため、図１４（ａ）のように撮影者５７は表示面５５を下方に向け撮像装置本体５１を下方から、または図１４（ｂ）のように表示面５５を上方に向けて撮像装置本体５１を上方から見ながらでも撮影が可能となる。また、図１６のように、撮影者５７はこの表示面５５を被写体５９側に回転させて、被写体５９に撮影画像（撮像画像）を見せながら撮影することも可能である。このとき、撮影者５７はビューファインダー５６で画像を確認しながら撮影することが出来るようになっているのが一般的である。
【０００５】
また、バッテリー５２（６２）はその容量により数種類の大きさのものが用意されている。大きくなる際には、バッテリーの撮像装置本体に取り付ける取付け面の大きさは変わらずに、撮像装置本体から突出するように大きくなっていく。さらに、撮影レンズ５３（６３）の前方に取り付けるアクセサリー（部品）として、フード（不要な光線を遮断する用途）やワイドコンバータ（撮影レンズの焦点距離を短くして、広範囲の撮影を可能とするためのレンズ）などが用意されている場合もある。
【０００６】
本出願人は、通常の撮影のみならず、いわゆる対面撮影においても、最適な映像が得られる撮像装置について既に開示している（例えば特許文献１を参照。）。
【特許文献１】特開平１０―３１９３０６号公報
【発明の開示】
【発明が解決しようとする課題】
【０００７】
しかしながら、上述のような撮像装置においては、例えばフードやワイドコンバータを装着して表示部の表示面を被写体側に向けて撮影する場合に、被写体が撮像レンズ前面まで一定距離以上近づくと被写体から見た表示面の一部がフードやワイドコンバータによって隠れてしまって、表示面全体を見ることができなくなってしまう（図１を参照。）。これは主に、撮影者が被写体となって被写体自らがその撮影画像を確認しながら撮影しようとする場合（いわゆる自分撮り）に問題となる。
【０００８】
また、タテ型の撮像装置を用いて図１４（ａ）に示すように撮像装置を高く掲げて容量の大きなバッテリーを使用しながら撮影した場合に、表示部の表示面がバッテリーによって遮られ表示全体を見ることができなくなってしまうという問題点があった（図１０を参照。）。
【０００９】
本発明は上記の事情に鑑みて為されたもので、撮影スタイルや撮像装置への部品やバッテリーの取付けの有無、取り付けた部品やバッテリーの種類や大きさに拘わらず、それらによって表示面に表示される撮像画像が遮られることのない撮像装置を提供することを例示的目的とする。
【００１０】
より具体的には、例えば、自分撮りにおいて撮影者（この場合の撮影者は被写体でもある。）が表示面を目視した場合に、撮像装置本体に取り付けたレンズアクセサリー等によって表示面内の撮像画像が遮られることがないような撮像装置を提供することを目的の一つとする。また、撮像装置を高く掲げて撮影者が下方から表示面を目視しつつ撮影を行う際に、撮像装置本体に取り付けたバッテリーにより表示面内の撮像画像が遮られることがないような撮像装置を提供することを目的の一つとする。
【課題を解決するための手段】
【００１１】
上記の目的を達成するために、本発明の例示的側面としての撮像装置は、撮像部を内部に備えた撮像装置本体と、撮像装置本体に対して回転可能に設けられて撮像部による撮像画像を表示する表示面を備えた表示部とを有する撮像装置において、撮影者の要求に応じて表示面に表示された撮像画像を縮小表示するための画像縮小部と、撮影者の要求に応じて表示面における縮小画像の表示位置を選択する表示位置選択部とを有することを特徴とする。
【００１２】
本発明の他の側面としての撮像装置は、撮像部を内部に備えた撮像装置本体と、撮像装置本体に対して回転可能に設けられて撮像部による撮像画像を表示する表示面を備えた表示部と、表示面の回転角度を検出する角度検出部と、角度検出結果に基づいて表示面に撮像画像を縮小表示する際の縮小倍率及び撮像画像の表示面内での表示位置を自動的に演算する演算部とを有することを特徴とする。
【００１３】
撮像部が、その被写体側に部品を取り付け可能なレンズ部を有し、表示面を被写体側に向けた場合にレンズに取り付けられた部品によって撮像画像が遮られないように、縮小倍率及び表示位置を演算部が自動的に演算するように構成してもよい。
【００１４】
部品の種類を検出する部品検出部と、撮像装置本体から被写体までの距離を測定する測距部とを有し、演算部が、部品検出結果と測距結果とに基づいて縮小倍率及び表示位置を自動的に演算するように構成してもよい。
【００１５】
撮像本体に対して着脱可能な電源部を表示部の下方に有し、表示面が所定角度を超えて下方に向いた場合に電源部によって撮像画像が遮られないように、縮小倍率及び表示位置を演算部が自動的に演算するように構成してもよい。
【００１６】
電源部の種類を検出する電源検出部を有し、演算部が、電源検出結果に基づいて縮小倍率及び表示位置を自動的に演算するように構成してもよい。
【００１７】
本発明の他の側面としての画像表示方法は、撮像部を有する撮像装置本体に対して回転可能に設けられた表示面に撮像部による撮像画像を表示する画像表示方法であって、表示面の回転角度を検出するステップと、角度検出結果に基づいて、表示面に撮像画像を縮小表示する際の縮小倍率及び撮像画像の表示面内での表示位置を自動的に演算するステップとを有することを特徴とする。
【００１８】
本発明の他の目的及び更なる特徴は、以下、添付図面を参照して説明される実施形態により明らかにされるであろう。
【発明の効果】
【００１９】
本発明によれば、撮影スタイルや撮像装置への部品や電源部の取付けの有無、取り付けた部品や電源部の種類や大きさに拘わらず、それらによって表示面に表示される撮像画像が遮られることのない撮像装置を提供することが可能となる。撮影者は、どのような撮影スタイルにおいても撮像画像のすべてを視認することができ、撮影時の操作性も向上する。安心して撮影の構図を決定することができ、より自分の好みにあった動画及び静止画撮影を行うことができる。
【発明を実施するための最良の形態】
【００２０】
以下に、本発明に係る撮像装置の詳細について、図面を用いて説明する。
【００２１】
［実施の形態１］
図１は本発明に係る撮像装置を撮像レンズ（被写体）側から見た正面図であり、表示部６の表示面６ｓ上に描かれた絵が被写体である。また、図２は撮像装置本体の斜視図であり、図５、図６は撮像装置本体と被写体とを上面から見た図である。
【００２２】
これらの図において、１は撮像装置本体で２は被写体を撮像するための撮像部の一部としての撮像レンズ３の前方に装着された部品としての光学アクセサリー（フード、ワイドコンバータなど）で、このとき撮像装置本体１はどのようなアクセサリーが装着されたかを判別する手段（部品検出部）を有する。
【００２３】
光学アクセサリーの判別手段の例を図３（ａ）（ｂ）（ｃ）に示す。図３（ａ）は撮像装置本体１を撮像レンズ３の方向から見た図であり、この図で撮像レンズ３と略同一中心からの半径距離Ｒ１，Ｒ２の円周上の位置１１，１２にそれぞれ検出スイッチが配置されている。図３（ｂ）（ｃ）は図３（ａ）のＡ−Ａ断面図である。また１３は、光学アクセサリー２を取り付けるためのレンズリング部であり、光学アクセサリー２はレンズリング１３に嵌合しながら取り付けられる構造となる。レンズリング１３が円形状に構成されている場合、これに取り付けられる光学アクセサリー２の嵌合部分もレンズリング１３と中心を同じくする同様の円形状に構成される。
【００２４】
ここで、図３（ｂ）に示すように光学アクセサリー２ａを取り付けた場合、上記光学アクセサリー２ａの所定部分の内径をＲ３とする。このときこの内径Ｒ３の大きさはＲ１＜Ｒ３＜Ｒ２の関係になっている。内径Ｒ３の部分が検出スイッチ１１の位置に来るように設定した場合、光学アクセサリー２ａは検出スイッチ１１に反応することにより撮像装置本体１はこれを判別する。また同様に図３（ｃ）の場合には、光学アクセサリー２ｂの、所定部分の内径をＲ４とすると（Ｒ４の大きさはＲ４＜Ｒ１＜Ｒ２の関係になる）、光学アクセサリー２ｂは検出スイッチ１１，１２の両方に反応することにより、撮像装置本体１はこれを判別する。このようにして、光学アクセサリー２ａと２ｂが別種であることが部品検出部により判断される。
【００２５】
図１において、４は被写体画像（撮像画像）５を表示するための表示部６の表示面６ｓを囲む筐体であり、表示部６の表示面６ｓを被写体側に向けることができるように構成されており、表示面６ｓ上の画像は横６ａと縦６ｂとで囲まれた長方形の範囲一杯に表示可能である。ここで、被写体画像５は表示面６ｓの中の６ａと６ｂで囲まれた範囲が横５ａと縦５ｂに囲まれた範囲に表示されるように縮小、移動表示された画像で、縮小する画面の縦横比率は一定のままとすることも、別途自由な比率にすることも可能に構成されている。
【００２６】
ここで、図４に示すように、縦横比率が一定とは、横５ａ：縦５ｂ＝横６ａ：縦６ｂであり、一般的な撮像装置の表示装置であればこれらの比率は４：３となる。また、自由な比率とは、横５ａ：縦５ｂ
2005175658.tif 000003
【００２７】
横６ａ：縦６ｂとなることを意味する。さらに、被写体画像範囲の移動とは、表示装置６の中心位置１０ａが被写体画像５の中心位置１０ｂに移動することをいう。
【００２８】
さらに図５、図６で、８，８’は被写体７，７’が表示装置６を目視したときの視線を表し、斜線部９，９’は、光学アクセサリー２によって被写体７，７’からは視認できない死角の範囲を表現している。このとき、撮像装置本体１は測距部の合焦動作によって被写体７，７’までの距離（被写体距離）Ｘ，Ｘ’を算出し、装着された光学アクセサリー２との関係より被写体画像５が死角範囲９，９’に入らないような位置に表示されるよう割り出された縮小倍率で被写体画像５を縮小し、移動を行う。
【００２９】
例えば、図５の被写体が７の位置（被写体距離Ｘ）から表示装置６を見たときの死角範囲は９となり、光学アクセサリー２によって表示装置６の一部が隠れてしまうため、被写体映像５は死角範囲９を避けて５ａと５ｂで囲まれた範囲に全体が映るように縮小移動される。また、被写体７’の位置（被写体距離Ｘよりも長い被写体距離Ｘ’）から表示装置６を見たときには死角範囲は９’となり、光学アクセサリー２によって表示装置６が隠れる部分が殆どないため、被写体画像５の縮小率は１、移動距離は０となり、結果的に画像の縮小、及び移動は行われない。
【００３０】
以上の撮像装置本体１内部の信号の流れを図７のブロック図を用いて説明する。
【００３１】
レンズ部１０１を通った入射光が撮像部１０２に到達すると、入射した光は電気信号に変換され信号処理部１０３に送られ、システムコントローラー１０６に送信される。そして、システムコントローラー１０６は信号処理部１０３から得られた情報を基にレンズ制御部１０４に指示を出して焦点距離を算出し、レンズ部１０１の制御を行う。さらに、光学アクセサリー検出部（部品検出部）１０７は、撮像装置本体に光学アクセサリーが取り付けられているか否か、さらにその光学アクセサリーの種類を検出し、表示面位置検出部（角度検出部）１０８では、表示面がどのような位置にあるか、すなわち表示面の撮像装置本体に対する回転角度がどのくらいの角度かを検出する。こうして得られた焦点距離の情報と、光学アクセサリー検出部１０７及び表示装置位置検出部１０８からの信号を基にシステムコントローラー１０６は演算部としての表示信号処理部１０９に画像表示のための信号を送り、表示信号処理部１０９はそれを基に表示画像の縮小、移動を確定して表示部１１０にその情報を送信する。
【００３２】
以上の流れを図８に示すフローチャートで説明する。
【００３３】
スタート（Ｓ１０）より、まず表示面が被写体側を向いている場合には（Ｓ１１）光学アクセサリーが装着されているか否かを確認する（Ｓ１２）。次に、光学アクセサリーの種類を判別し（Ｓ１３）、被写体までの距離を算出（Ｓ１４）し、さらに表示面の縮小率を算出して（Ｓ１５）表示面の縮小と位置合わせを行い（Ｓ１６）、画像を表示して（Ｓ１７）終了する（Ｓ１８）。
【００３４】
以上のように、被写体（場合によっては被写体としての撮影者）が自らの撮像画面上の状態を確認しながら撮影するために表示部の表示面を目視したときに、表示面上の被写体画像は光学アクセサリーによって発生する死角範囲を避けた部分に縮小表示され、被写体からは、撮像画像の全範囲が確認できるようになるため、撮像装置の操作性が向上する。
【００３５】
［実施の形態２］
図９、図１０を用いて、本発明の実施の形態２について説明する。
【００３６】
これらの図において、２１は撮像装置本体で２２は撮像装置に供給する電気を蓄えたバッテリー（電源部）であり、撮像装置本体２１より突出するように取り付けられている。２３は被写体映像を撮影するための撮像レンズ（撮像部の一部）、２４は撮像画像２５を表示するための表示部２６の表示面２６ｓを囲む筐体であり、回転中心軸２８を中心に回転可能に構成されている。撮像装置本体２１にはこの表示面２６ｓの回転角度を検出する検出手段（角度検出部）が設けられている。
【００３７】
図９は、撮影者２７がこの撮像装置本体２１を高く掲げて撮影している状態を示している。そして、撮像装置本体２１より下方の撮影者２７が表示面２６ｓを視認しやすいように、表示面２６ｓが撮影者２７の視線方向２７ａに対して垂直となるように表示部２６が撮像装置本体２１に対して所定角度回転されている。
【００３８】
図１０は、図９に示す撮影者２７の方向（下方）から撮像装置本体２１を見た図である。表示面２６ｓ上の撮像画像は横２６ａと縦２６ｂとで囲まれた長方形の範囲一杯（表示画面全面）に表示可能であるが、突出したバッテリー２２によって死角範囲２９が発生して表示面２６ｓの一部が遮られてしまっている。このとき、撮像装置本体２１の角度検出部は表示部２６の筐体２４の回転角度が所定角度を超えたこと、すなわち表示面２６ｓが所定角度を超えて下方に向いたことを検出し、演算部が被写体映像（撮像画像）２５が死角範囲２９を避ける位置に表示されるように被写体映像２５の縮小倍率と表示位置とを演算する。ここで、被写体映像２５は表示面２６ｓの中の横２６ａと縦２６ｂとで囲まれた範囲が２５ａと２５ｂに囲まれた範囲に映し出されるように縮小、移動表示された映像であり、縮小する画面の縦横比率は一定のままとすることも、別途自由な比率にすることも可能に構成されている。ここの説明中の２５ａ，２５ｂ、２６ａ、２６ｂは実施の形態１における５ａ，５ｂ，６ａ，６ｂと同様の特徴を有している。
【００３９】
以上の撮像装置本体２１の内部の信号の流れを図１１のブロック図で説明する。
【００４０】
レンズ部２０１を通った入射光が撮像部２０２に到達すると、入射した光は電気信号に変換され信号処理部２０３に送られ、システムコントローラー２０６に送信される。また、表示面位置検出部（角度検出部）２０８は表示部が撮像装置本体に対してどの回転位置にいるかを判断し、同時にバッテリー種判別部（電源検出部）２０７で、どういう種類のバッテリーが装着されているかを判別し、これらの情報をシステムコントローラー２０６に送信する。こうして得られた情報をもとにシステムコントローラー２０６は演算部としての表示信号処理部２０９に画像表示のための信号を送り、表示信号処理部２０９はそれをもとに表示内容の縮小、移動を確定して表示部２１０にその情報を送信する。
【００４１】
以上の流れを図１２に示すフローチャートで説明する。
【００４２】
スタート（Ｓ２０）より、まず表示面の回転角度を検出し（Ｓ２１）表示面がバッテリー側を向いているかどうか、すなわち表示面の回転角度が所定角度を超えて下方を向いているかどうかを判断する（Ｓ２２）。その後、バッテリーの種類を判別し（Ｓ２３）表示画像の縮小と位置合わせを行って（Ｓ２４）画像を表示して（Ｓ２５）終了する（Ｓ２６）。
【００４３】
以上のように、撮影者が表示部を所定角度を超えて下方に回転させて撮影しようとしたとき、表示面上の撮像画像は撮像装置本体に装着されたバッテリーによって発生する死角範囲を避けた位置に縮小表示されるので、撮影者は撮像画像の全範囲を確認することができるようになるため、撮像装置の操作性が向上する。
【００４４】
以上、本発明の好ましい実施の形態を説明したが、本発明はこれらに限定されるものではなく、その要旨の範囲内で様々な変形や変更が可能である。
【図面の簡単な説明】
【００４５】
【図１】本発明の実施の形態１に係る撮像装置の正面図である。
【図２】図１に示す撮像装置の斜視図である。
【図３】図１に示す撮像装置に設けられた光学アクセサリー判別手段を説明するための図であって、（ａ）は撮影レンズ近傍の正面図を示し、（ｂ）は撮影レンズ近傍の部分断面図であって撮影レンズに光学アクセサリーを取り付けた様子を示し、（ｃ）は撮影レンズ近傍の部分断面図であって撮影レンズに別の光学アクセサリーを取り付けた様子を示す。
【図４】図１に示す撮像装置の表示部の表示面を正面から見た正面図である。
【図５】図１に示す撮像装置を上方から見た上面図であり、被写体が撮像装置から比較的近い場合を示す。
【図６】図１に示す撮像装置を上方から見た上面図であり、被写体が撮像装置から比較的遠い場合を示す。
【図７】図１に示す撮像装置本体内の信号の流れを示すブロック図である。
【図８】図１に示す撮像装置における画像表示方法を説明するフローチャートである。
【図９】本発明の実施の形態２に係る撮像装置の側面図である。
【図１０】図１０に示す撮像装置を斜め下方から見た斜視図である。
【図１１】図１０に示す撮像装置本体内の信号の流れを示すブロック図である。
【図１２】図１０に示す撮像装置における画像表示方法を説明するフローチャートである。
【図１３】撮像装置の従来例を示す斜視図である。
【図１４】図１３に示す撮像装置を使用する様子を示した使用説明図であって、（ａ）は撮影者が撮像装置を高く掲げて撮影する様子を示し、（ｂ）は撮影者が撮像装置を低く構えて撮影する様子を示す。
【図１５】撮像装置の他の従来例を示す斜視図である。
【図１６】図１３に示す撮像装置を用いて撮影する様子を示した使用説明図であって、表示面を被写体側に向けて撮影する様子を示す。
【符号の説明】
【００４６】
１，２１，５１，６１：撮像装置本体
２，２ａ，２ｂ：光学アクセサリー（部品）
３，２３，５３，６３：撮像レンズ（撮像部の一部）
５，２５：被写体画像（撮像画像）
６，２６，５４，６４：撮影映像表示装置（表示部）
６ｓ，２６ｓ，５５，６５：表示面
７，７’，５９：被写体
２２，５２，６２：バッテリー（電源部）
５７：撮影者
１０１，２０１：レンズ部
１０２，２０２：撮像部
１０７：光学アクセサリー検出部（部品検出部）
２０７：バッテリー種判別部（電源検出部）
１０８，２０８：表示面位置検出部（角度検出部）
１０９，２０９：表示信号処理部（演算部）
１１０，２１０：表示部
【図１】
2005175658.tif 000004
【図２】
2005175658.tif 000005
【図３】
2005175658.tif 000006
【図４】
2005175658.tif 000007
【図５】
2005175658.tif 000008
【図６】
2005175658.tif 000009
【図７】
2005175658.tif 000010
【図８】
2005175658.tif 000011
【図９】
2005175658.tif 000012
【図１０】
2005175658.tif 000013
【図１１】
2005175658.tif 000014
【図１２】
2005175658.tif 000015
【図１３】
2005175658.tif 000016
【図１４】
2005175658.tif 000017
【図１５】
2005175658.tif 000018
【図１６】
2005175658.tif 000019